(57)【特許請求の範囲】
【請求項１】
空気吸込口と空気吹出口とを有するケースと，上記ケース内の上記空気吸込口の背部に設けられ，上記空気吸込口から吸い込まれた空気を上記空気吹出口に向けて送風する送風機と，上記空気吸込口から吸い込まれた空気の温度を検知する温度検出手段と，上記ケース内の上記送風機から上記空気吹出口に至る空気通路上に設けられ，吸い込まれた空気と熱交換する熱交換器と，上記温度検出手段により検出される上記温度に応じて上記送風機及び上記熱交換器を制御する制御部とを具備する空気調和機において，
上記制御部が設けられた制御室が上記空気通路を仕切る上記ケースの外側であって上記送風機と上記熱交換器の間に設けられ，上記制御部に接続された上記温度検出手段が上記送風機と上記熱交換器の間の空気通路に突出して設けられ，更に，上記制御部と上記温度検出手段とを接続するハーネスが，上記制御部近傍において上記制御室から上記空気通路に向けて差し込まれ，上記温度検出手段に接続されてなることを特徴とする空気調和機。
【請求項２】
上記ハーネスが上記制御部を貫通して上記温度検出手段に接続されてなる請求項１に記載の空気調和機。
【請求項３】
弾性体で構成され，上記温度検出手段を所定の位置に固定する固定手段を更に備え，上記温度検出手段及び上記ハーネスが，上記固定手段を介して上記ケースに設けられてなる請求項１或いは２に記載の空気調和機。
【請求項４】
上記制御部が，上記固定手段を介して上記ケースに取付けられてなる請求項３に記載の空気調和機。
【請求項５】
上記温度検出手段が，サーミスタである請求項１乃至４のいずれかに記載の空気調和機。
【発明の詳細な説明】
【０００１】
【発明の属する技術分野】
本発明は，室内温度を検出する温度検出手段を具備する空気調和機に係り，特に，上記温度検出手段を着脱する作業においてサービス性の良い取り付け構造を有するものに関する。
【０００２】
【従来の技術】
家庭，オフィス等で広く利用される空気調和機は，室内の温度を正確に検出する温度検出手段を設け，該温度検出手段で検出される室内温度に応じてその運転状態が制御され，快適性と省エネルギー性とを両立することが要求される。更には，設置した際の占有面積を縮小する，或いは美観の向上という観点からは，可能な限り薄型化されることが望ましい。
そのような，室内の温度を正確に検出する温度検出手段を具備すると共に，薄型化を実現した空気調和機としては，図５（（ａ）：正面図，（ｂ）：側面図）に示す空気調和機Ｂがある。
同図，或いはその詳細を表す図６（側面図５（ｂ）の部分拡大図）に示す如く，上記空気調和機Ｂは，空気吸込口５と空気吹出口４を有するケース１と，上記ケース１内の上記空気吸込口５の背部に設けられ，上記空気吸込口５から吸い込んだ空気を上記空気吹出口４に向けて送風する送風機２と，上記空気吸込口５から吸い込まれる空気の温度を検知するサーミスタ９（温度検出手段の一例に該当）と，不図示の室外機と接続されると共に上記ケース１内の送風機２から上記空気吹出口４に至る空気通路上に設けられ，上記空気吸込口５から吸い込まれた空気と熱交換する熱交換器３と，上記サーミスタ９により検知される室内温度に応じて上記各部を制御し，上記ケース１及び蓋８ａにより形成される制御室８ｂに取付される制御部８とを具備して概略構成されている。（図５（ｂ）及び図６中には，運転中の空気の流れを矢印で示す）
このような構成により，当該空気調和機Ｂでは，上記送風機２の運転により上記空気吸込口５から吸い込まれる空気の温度を上記サーミスタ９で検出すると共に，検出された上記室内温度に応じて上記制御部８が上記各部を好適に制御することで，上記空気吹出口４から適度に熱交換された空気を室内に供給することが可能となり，快適且つ省電力な運転ができる。
【０００３】
【発明が解決しようとする課題】
ここで，従来公知の上記空気調和機Ｂでは，上記空気吸込口５から吸い込まれた空気の温度を検知するための上記サーミスタ９は，空気流の流れ方向に対して上記送風機２の上流部に設けられることが一般的である。そのため，上記サーミスタ９は，上記制御部８のある上記制御室８ｂからある程度の線長を有するハーネス９ａによって導出され，上記送風機２の上流部における所定の位置に固定ホルダ９ｂを用いて固定される構造とならざるを得ない（図６参照）。
そのため，従来公知の上記空気調和機Ｂでは，上記ハーネス９ａが長くなることによって，以下に挙げる問題点が生じていた。
先ず，工場での組み立て或いはメンテナンス作業等において，上記制御部８或いは上記サーミスタ９を組み付ける作業を行う場合，上記ハーネス９ａの取り扱いが困難となり作業効率を低下させることに加え，作業中に上記サーミスタ９を破損する若しくは上記ハーネス９ａの断線を招いていた。
次に，上記送風機２或いは該送風機２の上流側に配設されるエアフィルタ６の清掃，若しくは上記制御部８のメンテナンス作業を行う場合，作業を行う使用者は，その都度上記サーミスタ９，上記ハーネス９ａ，或いは上記固定部ホルダ９ｂその他を着脱する必要があり，使用者の手を煩わせ，作業効率を低下させていた。
更には，上記ハーネス９ａの線長が長くなる程，その長さのバラツキは大きくなるため，図６に示すような上記固定ホルダ９ｂを用いて固定する構造では，上記ハーネス９ａの線長のバラツキによって上記サーミスタ９の取り付け位置が所定の位置からずれることとなり，上記サーミスタ９によって検出される温度に影響を与えていた。
そこで本発明は，上記課題に鑑みてなされたものであり，その目的とするところは，室内温度を検出する温度検出手段を具備してなる空気調和機であって，上記温度検出手段を上記制御部近傍に設けることにより，上記温度検出手段と上記制御部とを接続するハーネスを短くすると共に，サービス性の良い空気調和機を提供することにある。
【０００４】
【課題を解決するための手段】
上記目的を達成するために本発明は，空気吸込口と空気吹出口とを有するケースと，上記ケース内の上記空気吸込口の背部に設けられ，上記空気吸込口から吸い込まれた空気を上記空気吹出口に向けて送風する送風機と，上記空気吸込口から吸い込まれた空気の温度を検知する温度検出手段と，上記ケース内の上記送風機から上記空気吹出口に至る空気通路上に設けられ，吸い込まれた空気と熱交換する熱交換器と，上記温度検出手段により検出される上記温度に応じて上記送風機及び上記熱交換器を制御する制御部とを具備する空気調和機において，上記制御部が設けられた制御室が上記空気通路を仕切る上記ケースの外側であって上記送風機と上記熱交換器の間に設けられ，上記制御部に接続された上記温度検出手段が上記送風機と上記熱交換器の間の空気通路に突出して設けられ，更に，上記制御部と上記温度検出手段とを接続するハーネスが，上記制御部近傍において上記制御室から上記空気通路に向けて差し込まれ，上記温度検出手段に接続されてなることを特徴とする空気調和機として構成される。
【０００５】
ここで，上記孔には，弾性体により構成され，上記温度検出手段を固定する固定手段が設けられていることが望ましい。
その結果，組み立て／メンテナンス作業の際に，上記温度検出手段を容易且つ正確に所定の位置に取り付けることが可能となることに加え，上記温度検出手段或いは上記ハーネスの破損等を未然に防止することができる。
また，上記ケースとの電気的絶縁を図るという副次的な効果も奏する。
【０００６】
上記ハーネスが上記制御部を貫通して上記温度検出手段に接続されてなることが望ましく，また，弾性体で構成され，上記温度検出手段を所定の位置に固定する固定手段を更に備え，上記温度検出手段及び上記ハーネスが，上記固定手段を介して上記ケースに設けられてなることが望ましい。
【０００７】
ここで，上記温度検出手段としては，サーミスタを用いることが考えられる。
【０００８】
【発明の実施の形態】
以下添付図面を参照しながら，本発明の実施の形態及び実施例について説明し，本発明の理解に供する。尚，以下の実施の形態及び実施例は，本発明を具体化し
た一例であって，本発明の技術的範囲を限定する性格のものではない。
ここに，図１は本発明の実施の形態に係る空気調和機の概略構成を示す図，図２は本発明の実施の形態に係る空気調和機の部分拡大図，図３は温度検出部の取り付けの手順を示す図，図４は本発明の実施の形態に係る空気調和機の部分拡大図，図５は従来公知の空気調和機の概略構成を示す図，図６は従来公知の空気調和機の部分拡大図である。
【０００９】
本発明の実施の形態に係る空気調和機は，図１（（ａ）：正面図，（ｂ）：側面図）として具現化される。
該空気調和機Ａは，同図，或いはその詳細を表す図２（側面図１（ｂ）の部分拡大図）に示す如く，ケース１と，送風機２と，熱交換器３と，サーミスタ９（温度検出手段の一例に該当）と，制御部８とを具備して概略構成される。
上記ケース１は，縦長の直方体形状であり，その下部には空気を吸込むための空気吸込口５が形成され，その上部には熱交換された後の空気を吹き出すための空気吹出口４が形成されている。
上記送風機２は，上記ケース１内の上記空気吸込口５の背部に設けられ，不図示の電動機によって回転駆動されることによって，上記空気吸込口５から吸い込んだ空気を上記空気吹出口４に向けて送風する。
不図示である室外機に接続される上記熱交換器３は，上記ケース１内の送風機２から上記空気吹出口４に至る空気通路上に設けられ，当該空気調和機Ａの運転モード（冷房／暖房／除湿等）に合わせて通過する空気と熱交換を行う。
上記空気通路に設けられる上記サーミスタ９は，上記空気吸込口５から吸い込まれた空気の温度を検出する。ここで，該サーミスタ９は，上記送風機２で攪拌された空気の温度を検出しているため，上記送風機２の上流部で温度を検出している従来構造と較べて，室温の偏りの影響による偏りの少ない空気の温度を検出できる。
上記制御部８は，上記送風機２と上記熱交換器３の間の上記ケース１に蓋８ａを有して形成される制御室８ｂ内に取付され，上記サーミスタ９により検出された温度，及び使用者により設定された設定温度／運転モードに基づいて上記各部を統合的に制御する。
即ち，当該空気調和機Ａが運転中には，上記ケース１の前面に形成された空気吸込口５から吸い込まれた空気が，上記熱交換器３により熱交換された後に，空気吹出口４から吹き出されることにより，当該空気調和機Ａが設置された室内の温度を使用者の所望する温度に制御することができる。このような本発明に係る空気調和機Ａの基本的構成は，従来公知の技術に基づくものである。（図１（ｂ）及び図２中には，運転中の空気の流れを矢印で示す）
【００１０】
本発明の実施の形態に係る上記空気調和機Ａは，上記サーミスタ９が，上記制御部８のある制御室８ｂから導出された後，上記制御部８の近傍における上記ケース１に形成された，所定の大きさを有する円形の孔１０を貫通し，上記送風機２により形成される上記空気通路に突出して設けられることを特徴点とする。
これにより，上記制御部８と上記サーミスタ９とを接続するハーネス９ａの線長を最小限とすることが可能となると共に，上記サーミスタ９の取り付け位置を上記送風機の上流側から移動させることが可能となり，上記送風機２或いは該送風機２の上流側に配設されるエアフィルタ６その他のメンテナンス作業の際にも，該サーミスタ９が邪魔となることはない。
また，上記孔１０には，該孔１０の形状に応じて略円錐状の弾性体で構成され，上記ケース１に対して係止すると共に上記サーミスタ９を所定の位置に固定する着脱可能なホルダ１１（固定手段の一例に該当）が設けられることが望ましい（図２参照）。ここで，上記ホルダ１１の材質としては，ゴムを用いることが考えられる。
これにより，上記ハーネス９ａの線長にバラツキがある場合にも，後述説明するように上記サーミスタ９を所定の取り付け位置に容易且つ正確に固定することが可能となると共に，上記孔１０のエッジ（端面）から上記ハーネス９ａを保護することが可能となる。更には，上記ハーネス９ａを上記ケース１から電気的に絶縁するという副次的な効果を奏する。
【００１１】
次に，図３を用いて，組み立て／メンテナンス作業において，上記サーミスタ９を所定の位置に装着（取り外す）際の手順について説明する。以下，Ｓ１，Ｓ２，Ｓ３は作業手願の番号を示す。
（Ｓ１）
先ず，取り付け作業を開始する段階では，上記各部はそれぞれが分離している。
（Ｓ２）
続いて，上記サーミスタ９が上記ホルダ１１の中心に形成される挿入穴１１ｂに挿入され，該ホルダ１１の所定の位置に固定される。ここで，上記挿入穴１１ｂを上記ハーネス９ａよりも若干小さく形成し，上記ハーネス９ａを挿入することによって上記挿入穴１１ｂが弾性変形されるようにすれば，上記サーミスタ９は，上記ホルダ１１からの付勢力及び摩擦力を利用して所定の位置に固定される。
（Ｓ３）
最後に，上記ステツプＳ２で上記サーミスタ９を貫設させた上記ホルダ１１が，上記ケース１に形成された上記孔１０に係止される。ここで，上記ホルダ１１には，上記孔１０の形状に応じた環状の凹部１１ａが周上に形成されることが望ましい。これにより，上記ホルダ１１は，該ホルダ１１を挿入すべき所定の位置に確実に固定される。
一方，既に装着された上記サーミスタ９を取り外す作業は，上記説明した手願の逆の手順（Ｓ３→Ｓ２→Ｓ１）によって実現可能なことは容易に理解されるため，ここでは説明を省略する。
このように，本実施の形態に係る空気調和機Ａは，上記ハーネス９ａの線長にバラツキが有る場合であっても，上記サーミスタ９が貫設された上記ホルダ１１を上記ケース１の上記孔１０に係止するという簡略な手順によって上記サーミスタ９を上記空気路上の所定の位置に正確に固定することが可能となり，上記サーミスタ９の着脱する作業におけるサービス性が高い。
【００１２】
ここで，本発明では，上記サーミスタ９が上記熱交換器３の近くに設けられるため，上記送風機２が停止している時には上記熱交換器３からの熱の影響を受け易く，特に冷房時には上記サーミスタ９が冷気を受け，室温の誤検知に繋がる虞がある。そこで図４に示す如く，上記サーミスタ９の上記熱交換器３に対する側（本実施形態では上側）に支点１２ａを中心として回動自在なカバー１２を設けることが望ましい。
ここで，上記カバー１２は回動自在であるため，上記送風機２が停止している時（図４（ａ）参照）には上記サーミスタ９を覆うような位置に該カバー１２の自重で停止すると共に，上記送風機２が駆動した時（図４（ｂ）参照）には上記送風機２から送られる風圧により上方へ持ち上がり，空気通路を遮ることのない位置に開いて静止する。（図４（ｂ）中には，運転中の空気の流れを矢印で示す）
従って，上記カバー１２を設けることにより，上記送風機２の運転時の送風量及び温度検知には影響を与えること無く，上記送風機２の停止時における上記熱交換器３の影響による室温の誤検知を防止すことができる。
【００１３】
【発明の効果】
以上説明したように，本発明は，空気吸込口と空気吹出口とを有するケースと，上記ケース内の上記空気吸込口の背部に設けられ，上記空気吸込口から吸い込まれた空気を上記空気吹出口に向けて送風する送風機と，上記空気吸込口から吸い込まれた空気の温度を検知する温度検出手段と，上記ケース内の上記送風機から上記空気吹出口に至る空気通路上に設けられ，吸い込まれた空気と熱交換する熱交換器と，上記温度検出手段により検出される上記温度に応じて上記送風機及び上記熱交換器を制御する制御部とを具備する空気調和機において，上記制御部が設けられた制御室が上記空気通路を仕切る上記ケースの外側であって上記送風機と上記熱交換器の間に設けられ，上記制御部に接続された上記温度検出手段が上記送風機と上記熱交換器の間の空気通路に突出して設けられ，更に，上記制御部と上記温度検出手段とを接続するハーネスが，上記制御部近傍において上記制御室から上記空気通路に向けて差し込まれ，上記温度検出手段に接続されてなることを特徴とする空気調和機として構成される。
その構成の一例としては，上記ハーネスが上記制御部を貫通して上記温度検出手段に接続されてなるものが考えられる。また，弾性体で構成され，上記温度検出手段を所定の位置に固定する固定手段を更に備え，上記温度検出手段及び上記ハーネスが，上記固定手段を介して上記ケースに設けられてなる形態が考えられる。
このように構成することにより，上記制御部と上記温度検出部とを接続するハーネスの線長を最小限とすることが可能となり，その長さにバラツキが生じる可能性を抑えると共にコストの低減を図ることができる。
また，上記ハーネスが短くなることにより，当該空気調和機の組立作業における上記温度検出手段或いは上記ハーネスの取り扱いが容易となり，作業効率を向上させることに加え，作業中における上記温度検出手段の破損等を防止することができる。
更には，従来公知の空気調和機では，メンテナンス作業の邪魔となっていた上記温度検出部を，上記送風機の上流部から移動させることも可能となり，メンテナンス作業時の作業効率を向上させることができる。
【００１４】
ここで，上記孔には，弾性体により構成され，上記温度検出手段を固定する固定手段が設けられていることが望ましい。
その結果，組み立て／メンテナンス作業の際に，上記温度検出手段を容易且つ正確に所定の位置に取り付けることが可能となることに加え，上記温度検出手段或いは上記ハーネスの破損等を未然に防止することができる。
また，上記ケースとの電気的絶縁を図るという副次的な効果も奏する。
【００１５】
更にまた，上記温度検出部の上記熱交換器に対する側には，上記送風機が駆動し送風状態にある時は上記カバーが空気の流れを遮らない方向に開き，送風機が停止し無風状態の時は上記カバーが上記温度検出部を覆うような回動自在のカバーを設けることが望ましい。
これにより，上記送風機の運転時における送風量及び温度検知に影響を与えること無く，上記送風機の停止時における上記熱交換器からの冷気或いは熱気による室温の誤検知を防ぐことが可能となる。
【００１６】
ここで，上記温度検出手段としては，サーミスタを用いることが考えられる。
【図面の簡単な説明】
【図１】  本発明の実施の形態に係る空気調和機の概略構成を示す図。
【図２】  本発明の実施の形態に係る空気調和機の部分拡大図
【図３】  温度検出部の取り付けの手順を示す図
【図４】  本発明の実施の形態に係る空気調和機の部分拡大図
【図５】  従来公知の空気調和機の概略構成を示す図
【図６】  従来公知の空気調和機の部分拡大図
【符号の説明】
１    …ケース
２    …送風機
３    …熱交換器
４    …空気吹出口
５    …空気吸込口
６    …フィルタ
８    …制御部
８ａ  …蓋
８ｂ  …制御室
９    …サーミスタ
９ａ  …ハーネス
９ｂ  …固定ホルダ
１０  …孔
１１  …ホルダ
１１ａ…凹部
１１ｂ…挿入穴
１２  …カバー
【図１】
0004255649.tif 000002
【図２】
0004255649.tif 000003
【図３】
0004255649.tif 000004
【図４】
0004255649.tif 000005
【図５】
0004255649.tif 000006
【図６】
0004255649.tif 000007